(57)【特許請求の範囲】
【請求項１】
入力音声および画像信号を、１または複数のフィールドまたはフレームごとに１または複数の傾斜トラックを形成してテープ上に記録再生するようにしたＶＴＲにおいて、
上記傾斜トラックを第１のモードでは第１のトラックピッチで形成し、第２のモードでは第２のトラックピッチで形成する記録手段と、
上記傾斜トラックごとに順次増加または減少する固有のトラック番号を生成するトラック番号生成手段とを備え、
上記生成されるトラック番号の上記第１のモードにおける増加または減少と上記第２のモードにおける増加または減少との比は、上記第１のトラックピッチと第２のトラックピッチとの互いの既約分数比に設定され、
上記第１及び第２のトラックピッチを混在させて記録を行っても、各上記傾斜トラックにそれぞれ固有のトラック番号が付加されるようにしたことを特徴とするＶＴＲ。
【請求項２】
請求項１記載のＶＴＲにおいて、
上記テープの最終のトラック番号を得る手段を有し、
上記最終のトラック番号と現在の上記トラック番号と上記既約分数比の値を用いて上記テープの記録残量を計算することを特徴とするＶＴＲ。
【請求項３】
上記最終のトラック番号は上記テープの収納されるカセットに併設のメモリ上に記憶されていることを特徴とする請求項２記載のＶＴＲ。
【請求項４】
上記最終のトラック番号と、前回記録終了時の上記トラック番号を上記テープの収納されるカセットに併設のメモリ上に記憶し、これらを用いて上記テープの記録残量を計算できるようにしたことを特徴とする請求項２記載のＶＴＲ。
【発明の詳細な説明】
【０００１】
【産業上の利用分野】
本発明は、映像、音声信号等をデジタル化して記録再生する場合等に用いられるＶＴＲに関するものである。
【０００２】
【従来の技術】
例えば民生用のアナログＶＴＲや、業務用のＶＴＲにおいて、いわゆるタイムコードを記録することが行われている。このようなタイムコードは映像信号の１フィールドまたはフレームごとに、時、分、秒、フィールド（フレーム）の数値を記録するものである。
【０００３】
このようなタイムコードは、民生用のＶＴＲにおいては例えば高速サーチ時のテープ上の所望の位置の検出に用いられる。従ってこのようなタイムコードはテープ上で一貫性を持つ必要がある。このため記録時にはその直前の信号のタイムコードを検出して、その値から連続したタイムコードを発生して一貫性を持つ記録が行われるようにされている。
【０００４】
ところがいわゆるＬＰ、ＳＰ記録のように、モードによってトラックピッチが変わる記録を許すＶＴＲ（ＶＨＳ、ＢＥＴＡ、８ｍｍＶＴＲ等）において、記録済のテープの途中にトラックピッチの異なる記録が行われると、タイムコードに同じ値が重複して登場することになり、このようなタイムコードは絶対的な指標には成り得ない。
【０００５】
すなわち図１１にトラックピッチ混在のテープパターンを示す。ここで図１１ａは幅広のトラック・ピッチＳＰで記録したときのトラック番号を示している。なおＶＴＲは本来斜め方向にトラックを記録するが、ここでは簡便化のため垂直方向に書いてある。以後この方法を取る。この図において、トラック番号は１０から２３まで打たれている。
【０００６】
これに対して、図１１ｂでは上述のテープの上に幅狭のトラックピッチＬＰで重ね書きした図である。この場合にトラック番号１３の次からインサートしたので、トラック番号は１４、１５、１６、・・・と増加して行く。そして例えばトラック番号２１でインサートを止めると、トラック番号１８から２０までは同じ値が二度出て来てしまう。
【０００７】
このようにＬＰ、ＳＰ記録のようにトラックピッチが変わる記録を許すＶＴＲでは、同じテープを何回も重ね記録すると同じ値が重複して登場することになり、このようなタイムコードは絶対的な指標には成り得ないものである。なおこのようなタイム・コードは、業務用のＶＴＲのようにトラックピッチが一定のＶＴＲなら特に問題は起こらないものである。
【０００８】
一方、テープ残量の計算を行う方法としては、例えばテープの巻径からハブの直径を引いてテープ自身の投射面積を求め、それとテープリールの回転速度からテープ残量を求める方法（特公平１−１５９５５号公報参照）が知られている。
【０００９】
しかしながらこの方法では、リールが何回転かしないと計算できない。このためカセットテープを最初にセットした時には、すぐに残量表示を出すことができず、いらいらしながら待つことになる。そもそも残量表示を見たくなるのは、ターマー予約などで記録可能時間を調べたい時で、いくつもあるカセットの中から選ぶときなどは、
テープ挿入→カセコン・ダウン→ローディング→テープ残量計算→残量表示→イジェクト・ボタン→アン・ローディング→カセコン・アップ→テープ交換
のめんどうな手順を繰り返すことになる。
【００１０】
メカ的な部分はしかたがないとしても、テープ残量計算に１０秒程度も待たされるといやになる。さらにこの待ち時間もテープの位置により変わるので（テイクアップ側リール、サプライ側リールのどちらにテープがたくさん巻いてあるかで演算時間が異なる）、早かったり遅かったりで気分が悪い。
【００１１】
またその計算結果もあくまでも概算で（テープの巻むらやテープ間の空気層の厚みなどでテープの投影面積が変わってしまうから）、信頼性も低い。さらにＣＵＥ／ＲＥＶ等の変速再生をすると、カセット内のテープの巻取り具合いも大きく変化してしまうため、その間の残量表示もはなはだ心許ない。
【００１２】
【発明が解決しようとする課題】
解決しようとする問題点は、ＬＰ、ＳＰ記録のようにトラックピッチが変わる記録を許すＶＴＲではトラック番号に同じ値が重複して登場する恐れがあり、そのためにトラック番号を絶対的な指標とすることができない。またテープ残量計算においては、従来の方法はリールの何回転かを待つために即座に計算することができず、計算精度も極めて不正確であったというものである。
【００１３】
【課題を解決するための手段】
本発明による第１の手段は、入力音声および画像信号を、１または複数のフィールドまたはフレームごとに１または複数の傾斜トラックを形成してテープ上に記録再生するようにしたＶＴＲにおいて、上記傾斜トラックを第１のモードでは第１のトラックピッチで形成し、第２のモードでは第２のトラックピッチで形成する記録手段と、上記傾斜トラックごとに順次増加または減少する固有のトラック番号を生成するトラック番号生成手段とを備え、上記生成されるトラック番号の上記第１のモードにおける増加または減少と上記第２のモードにおける増加または減少との比は、上記第１のトラックピッチと第２のトラックピッチとの互いの既約分数比に設定され、上記第１及び第２のトラックピッチを混在させて記録を行っても、各上記傾斜トラックにそれぞれ固有のトラック番号が付加されるようにしたことを特徴とするＶＴＲである。
【００１４】
本発明による第２の手段は、第１の手段に記載のＶＴＲにおいて、上記テープの最終のトラック番号を得る手段を有し、上記最終のトラック番号と現在の上記トラック番号と上記既約分数比の値を用いて上記テープの記録残量を計算することを特徴とするＶＴＲである。
【００１５】
本発明による第３の手段は、上記最終のトラック番号は上記テープ１７の収納されるカセットに併設のメモリ３２上に記憶されていることを特徴とする第２の手段記載のＶＴＲである。
【００１６】
本発明による第４の手段は、上記最終のトラック番号と、前回記録終了時の上記トラック番号を上記テープ１７の収納されるカセットに併設のメモリ３２上に記憶し、これらを用いて上記テープの記録残量を計算できるようにしたことを特徴とする第２の手段記載のＶＴＲである。
【００１７】
【作用】
これによれば、トラック番号を連続的にある規則性を持って記録する事により、ＳＰ、ＬＰ記録のようなトラックピッチが異なる混在記録においても、１巻のテープ内には、同じトラック番号は二度と現れない。これによりトラック番号を高速サーチ等の絶対アドレスとすることができる。
【００１８】
またこの絶対アドレスであるトラック番号とテープの最終のトラック番号を得ることにより、現在のトラック番号を検出するのみで即座にテープ残量を計算することができる。
【００１９】
【実施例】
図１は全体の構成を示す。この図において、１は映像信号の入力端子であって、この入力端子１からの信号がＡ／Ｄ変換回路２を通じてブロック化回路３に供給される。このブロック化回路３からの信号がビット圧縮のエンコーダ４に供給され、ビット圧縮された信号がフレーミング回路５を通じて合成回路６に供給される。
【００２０】
また任意のキーボード７からの信号が制御回路８に供給されてサブコードが形成される。このサブコードのデータがＲＡＭ９に記憶され、このＲＡＭ９からのサブコードのデータがパック生成回路１０に供給される。また制御回路８からの信号がトラック番号生成回路１１に供給されて、連続的にある規則性を持ってトラック番号が生成され、このトラック番号がパック生成回路１０に供給される。このパック生成回路１０からの信号がフレーミング回路１２を通じて合成回路６に供給される。
【００２１】
さらにこの合成回路６で合成された信号が、ＰＴＧ回路１３、チャンネルコーディング回路１４を通じて回転ドラム１５上のヘッド１６に供給される。そしてこの回転ドラム１５の周囲を移送される磁気テープ１７に記録される。またこの回転ドラム１５の周囲を移送される磁気テープ１７から、回転ドラム１５上のヘッド１６にて信号が再生される。この再生された信号が、イコライザ及びＴＢＣ回路１８、ＥＣＣ回路１９を通じて分解回路２０に供給される。
【００２２】
この分解回路２０で分解された信号が、デフレーミング回路２１を通じてビット圧縮のデコーダ２２に供給される。このデコーダ２２からの信号がブロック分解回路２３に供給され、分解された信号がＤ／Ａ変換回路２４を通じて映像信号出力端子２５に取り出される。
【００２３】
また分解回路２０で分解された信号が、デフレーミング回路２６を通じてパック分解回路２７に供給され、分解された信号が制御回路８に供給されてサブコードに従った制御が行われる。すなわち制御回路８からの信号が表示装置２８に供給されて表示が行われる。また制御回路８からの信号がモード制御回路２９に供給され、このモード制御回路２９からの信号が機構制御回路３０に供給されてドラム１５の回転や、キャプスタン（図示せず）の回転が制御される。
【００２４】
さらに制御回路８からの信号がメモリ制御回路３１に供給され、このメモリ制御回路３１からの信号が磁気テープ１７の収納されるカセットに併設のＩＣメモリ３２に書き込まれる。またこのＩＣメモリ３２に書き込まれた信号がメモリ制御回路３１を通じて制御回路８に読み出される。
【００２５】
そこでこのような装置において、図２のＡはデジタルＶＴＲのトラックフォーマットの一例である。この図において、１本のトラックは、両サイドにマージンを持ち、さらにその内側にサーボのためのＡＴＦエリアを２箇所持つ。
【００２６】
そしてヘッドの突入側から、マージン、ＡＴＦ１、音声信号、映像信号、サブコード、ＡＴＦ２、マージンの各エリアがある。各エリアの間にはプリアンブル、ポストアンブルのアンブルやエリア確保のためのギャップが設けてある。ＡＴＦエリアには、本来のサーボのためのＡＴＦ信号の他に、タイミングをとるためのタイミングシンクブロック（以後ＦＴ）がある。
【００２７】
図２のＢ〜Ｅに各シンクブロックの構成の一例を示す。各シンクブロックは、全て共通のＳＹＮＣパターン１６ビットを持ち、その後に３バイトからなるＩＤ部がある。ＩＤ部は、２バイトのＩＤデータ（ＩＤ０、ＩＤ１）とそれを保護するＩＤパリティ（ＩＤＰ）１バイトから成る。その後が、データ部である。
【００２８】
まず図２のＢのＡＴＦエリアのＦＴは６バイトからなり、ＩＤ部を除いたデータは、１バイトのみである。
【００２９】
次に図２のＣ、Ｄの音声信号、映像信号の各エリアは、同じ９０バイトで構成され、データ部は７７バイト、後半には８バイトのＣ１パリティがつく。さらに音声信号、映像信号の各エリアは、図示せずも垂直方向にＣ２パリティを持ち、いわゆる積符号構成により二重に保護される。
【００３０】
さらに図２のＥのサブコードエリアのシンクブロックは１２バイト長であり、データは５バイト、Ｃ１パリティとして２バイト設けてある。
【００３１】
図３に、図２のＢのＡＴＦエリア１、２のＦＴ部を示す。この例ではＶＴＲの２つのヘッド、ＨＥＡＤ（Ａ）、ＨＥＡＤ（Ｂ）のトラックの様子を示している。この例ではＨＥＡＤ（Ａ）の入口側にＦＴが６個、出口側に同じく６個、ＨＥＡＤ（Ｂ）の入口側にＦＴが１０個、出口側に同じく１０個ある。そしてＦＴのシンクブロック内のＩＤ０部に、図示のようにデータを書き込んで行く。
【００３２】
すなわち図において、ＳＰ／ＬＰは、ＳＰ記録かＬＰ記録かの判別フラグ出会って“０”でＳＰ、“１”でＬＰを示す。ＲＳＶは、ｒｅｓｅｒｖｅｄ（未使用）を示す。またＲＴＹＰＥ１、０の２ビットは、このシンクブロックの所属を示す。
【００３３】
つまり
【表１】
0003764491.tif 000002
である。
【００３４】
そしてＡＢＳ０からＡＢＳ２３までの２４ビットが、トラック番号を表す。なお必要ビット数は、そのＶＴＲの規格の最長テープ長やトラックフォーマットから求められる。
【００３５】
ＩＤ部は、前述のように２バイトのＩＤデータとそれを保護するＩＤパリティ１バイトから成るが、そのエラー訂正能力は映像信号、音声信号部に比べるとはなはだ弱い。さらには一般的にヘッド入口側の方が出口側に比べてエラーレートが悪化することが知られている。
【００３６】
そこで本願では、図３のように、各ＩＤ０部下位４ビットにヘッド入口側から、影響力の少ないＬＳＢ側より順に書き込むようにしている。これによりたとえエラーがあってトラック番号が完全に拾えなくても、ＭＳＢ側は拾える確率が高いのでシステムの操作上致命的にはならない。さらにＡＴＦ２のエリアまでヘッドがスキャンすれば、ＬＳＢ側も含めて再生できる確率が高まる。
【００３７】
ＨＥＡＤ（Ｂ）側では、７シンク目から１０シンク目にＡＢＳ０からＡＢＳ１５までを再度書く。これにより、ＬＳＢ側の再生確率をより高めることができる。さらには、各トラック毎にトラック番号が規則性を持って増えて行くので、万が一トラック番号２４ビットがすべて読み取れなくても、この法則により再現が可能である。
【００３８】
次にこの発明の別の実施例について図４を用いて説明する。この例では１本のトラックは、ヘッドの突入側から、マージン、ＡＴＦ１、音声信号、映像信号、サブコード、マージンの各エリアを持つ。各エリアの間にはプリアンブル、ポストアンブルのアンブルやエリア確保のためのギャップが設けてある。ＡＴＦエリアには、本来のサーボのためのＡＴＦ信号の他に、タイミングをとるためのタイミングシンクブロック（以後ＦＴ）がある。なお各エリアのシンクブロックは、図２Ｂ〜Ｅと同じである。
【００３９】
この例ではトラック番号ＡＢＳ０〜ＡＢＳ２３をＦＴに書く訳にはいかない。すなわち通常再生や低速の再生ではＦＴに書いておいても読みだせるのだが、高速の変速再生や高速サーチなどにも対応しようとすると、ヘッド入口側では空気の巻き込みなどでヘッドとテープの当りが取れず読み出せない。図２のＡのように出口側にも同じ物があれば前述のようにできるが、入口側だけではどうしようもない。
【００４０】
そこでこの例では、サブコードエリアのＩＤ部を用いる。すなわち図４のＢのように、サブコードのシンクブロック３個を用いて、２４ビット分のトラック番号を格納する。ＳＹＮＣ０〜ＳＹＮＣ３は、トラック内シンク番号を示す。１トラックには１２シンクブロックあるので、最大４回トラック番号を書ける。これにより、トラック番号の再現性を高めると共に、高速の変速再生や高速サーチなどにも対応できる。
【００４１】
次にトラック番号の規則性について述べる。今仮に、トラック・ピッチをＳＰ１０μｍ、ＬＰ５μｍとすると、その比は２：１である。この時、トラック番号はその比の倍数で付けて行く。つまり
ＳＰ記録のトラック番号＝２×Ｎ
ＬＰ記録のトラック番号＝１×Ｎ  （ここでＮ＝０、１、２、３、・・・）
とする。
【００４２】
またトラックピッチをＳＰ９μｍ、ＬＰ６μｍ（比は３：２）なら、
ＳＰ記録のトラック番号＝３×Ｎ
ＬＰ記録のトラック番号＝２×Ｎ  （ここでＮ＝０、１、２、３、・・・）
となる。
【００４３】
この様子を図５、図６、図７、図８に示す。図５、図６は、トラックピッチがＳＰ１０μｍ、ＬＰ５μｍの例、図７、図８は、トラックピッチがＳＰ９μｍ、ＬＰ６μｍの例である。またこの例では１フレームの画像データは、１０トラックに記録されるものとする。なお太線がフレームの切れ目、トラックの中の番号がフレーム内トラック番号である。
【００４４】
図５の（ａ）は、ＳＰ記録の場合で、前述のようにトラック番号は、
０、２、４、６、８、１０、・・・
のように付けて行く。ここでトラック番号３８の次に２フレーム分のＬＰデータ（ｂ）をインサートするものとする。
【００４５】
従ってこの場合に、ＬＰ部の先頭番地はＳＰ部のトラック番号３８＋２で４０から始める。これによりＬＰ記録部は、
４０、４１、４２、４３、４４、・・・
のようになる。
【００４６】
このようにしてインサートされた結果が（ｃ）である。すなわちＬＰ記録終了時のトラック番号は“５９”、これに対して次のＳＰ記録済み部分の先頭トラック番号は“６０”で同じトラック番号は登場しない。
【００４７】
１フレームだけのインサートを考えてみる。この場合ＬＰ部の最終トラック番号は“４９”である。これに対してその後のＳＰ部の先頭は“５０”でこれも重ならない。ここでトラック番号５０から５８までのデータは、画像としては復元できなくなる。
【００４８】
なお説明では画像インサートで行ったが、ブランクテープにＳＰ−ＬＰ−ＳＰと順に記録した結果が（ｃ）としても同じ事である。
【００４９】
他の図も、図５と同様の手順で説明できる。図６はトラックピッチ５μｍ（ＬＰ）で記録しておいたところに、１０μｍ（ＳＰ）でインサートしたもの、図７はトラックピッチ９μｍ（ＳＰ）で記録しておいたところに、６μｍ（ＬＰ）でインサートしたもの、図８はトラックピッチ６μｍ（ＬＰ）で記録しておいたところに、９μｍ（ＳＰ）でインサートしたものである。
【００５０】
いずれの場合も、１から何フレームのインサートまたはモード切り替え記録においても、同じトラック番号は出現しない。
【００５１】
さらに上述の装置において、ＳＰとＬＰのトラックピッチの比が２：１の場合には、以下のようにしても同じトラック番号が出現しないようにすることができる。すなわち図９において、隣接のトラックを形成する磁気ヘッドのアジマス角が互いに異なる（＋、−）ようにし、このアジマス角の違いを含めてトラック番号の生成を行う。
【００５２】
その場合に、ＳＰでは図９（ａ）に示すように各トラック毎にトラック番号を連続して生成する。これに対してＬＰでは（ｂ）に示すように異なるアジマスのトラックを対にして同じトラック番号を生成するようにする。
【００５３】
これによって、上述のインサートまたはモード切り替え記録においても、同じトラック番号は出現しないようにすることができる。すなわちＳＰでのトラック番号はそのまま検出され、またＬＰでのトラック番号は磁気ヘッドのアジマス相違によって判別することができる。さらに高速サーチなどでトラック番号を検出する場合に、一方のアジマスの磁気ヘッドだけを用いることによって、同じトラック番号が出現しないようにすることができる。
【００５４】
またこの場合には、上述のように飛び飛びにトラック番号を生成する場合（ｃ）（ｄ）に比べてトラック番号の最大数を小さくすることができ、同一トラック本数に対して必要トラック番号のビット数を１ビット少なくできる。あるいは同一トラック番号に対するトラック本数を２倍にでき、テープ長時間化にも対応することができる。
【００５５】
こうして上述の装置によれば、トラック番号を連続的にある規則性を持って記録する事により、ＳＰ、ＬＰ記録のようなトラックピッチが異なる混在記録においても、１巻のテープ内には、同じトラック番号は二度と現れない。これによりトラック番号を高速サーチ等の絶対アドレスとすることができるものである。
【００５６】
次にテープ残量の計算について説明する。すなわち上述の説明の様に本発明では、サーボがかかって一度でもトラックをスキャンすれば、トラック番号が読める。しかもたとえＬＰ、ＳＰのようなトラック・ピッチの異なる録画を実行しても、同じトラック番号が登場しない。つまり、絶対的な指標としてトラック番号を用いる事が出来る。
【００５７】
そこでこのトラック番号とそのテープの最終トラック番号が分かれば、テープの残量を計算で求める事が出来る。
【００５８】
まず以下のように定義する。
最終トラック番号                                              ＬＴ
現在のトラック番号                                            ＧＴ
次のフレームの先頭のトラック番号                              ＮＴ
１フレームを記録するのに要するトラック数                      ＲＴ
ＳＰ、ＬＰのトラック・ピッチの既約分数比の記録モード側の値    ＴＰ
１秒当りのフレーム数                                          ＳＦ
【００５９】
ここでテープの残量を計算で求めるには、まず現在のトラック番号ＧＴから次のフレームの先頭のトラック番号ＮＴを求める必要がある。この時ＧＴがフレームの先頭に位置する場合には、ＧＴ＝ＮＴとなる。これは、１フレームを記録するのに要するトラック数の整数倍でしかＶＴＲは記録できないので、それ以下の物は残量表示計算としては意味が無いからである。
【００６０】
そこで、ＩＮＴ（Ａ）をＡの整数部、ＭＯＤ（Ａ）をＡの剰余（整数）とすると、
Ｃ＝ＴＰ×ＲＴ
ＮＴ＝（ＩＮＴ（ＧＴ／Ｃ）＋１）×Ｃ
であり、総残量秒Ｄ、秒未満トラック本数Ｅは、
Ｄ＝ＩＮＴ（（ＬＴ＋ＴＰ−ＮＴ）／（Ｃ×ＳＦ））
Ｅ＝ＭＯＤ（（ＬＴ＋ＴＰ−ＮＴ）／（Ｃ×ＳＦ））
なので、残量の時の桁をＨ、残量の分の桁をＭ、残量の秒の桁をＳ、残量のフレームの桁をＦとすると、
Ｈ＝ＩＮＴ（Ｄ／３６００）
Ｍ＝ＩＮＴ（ＭＯＤ（Ｄ／３６００）／６０）
Ｓ＝ＭＯＤ（ＭＯＤ（Ｄ／３６００）／６０）
Ｆ＝ＩＮＴ（Ｅ／Ｃ）
となる。
【００６１】
上記の式を検算してみる。今、１秒当りのフレーム数（ＳＦ）が３０で、１時間５分記録できるテープがあるとする。１フレームを記録するのに要するトラック数（ＲＴ）を１０とすると、１秒あたりに要するトラックは３００本である。従ってこのテープには、実トラック本数は、１１７００００本（３００本×３９００秒）であり、ＳＰ、ＬＰのトラックピッチの既約分数比を２：１とし、ＳＰ記録とするとＴＰ＝２となる。従って全トラックに０から前述のルールで番号をふっていくと、最終トラック番号（ＬＴ）は、
ＬＴ＝１１７００００×２−ＴＰ＝２３３９９９８
となる。
【００６２】
一方、現在のトラック番号（ＧＴ）を１０４とすると、次のフレームの先頭のトラック番号（ＮＴ）は、
ＮＴ＝１２０
となる。以後、順次式に代入して行くと、残量は
１時間４分５９秒２４フレーム
となる。
【００６３】
実際には、最終トラック番号をＳＰ換算で記憶させるか、ＬＰ換算で記憶させるかが問題になる。残量表示は、ＳＰ記録かＬＰ記録かで変わって来るからである。
【００６４】
すなわち読み取った最終トラック番号を式Ｄ、Ｅに代入する前の換算法を示すと表２のようになる。
【表２】
0003764491.tif 000003
この表において、ＳＰ、ＬＰのトラックピッチの既約分数比の倍か逆数の関係になる。〔００５６〕では、最終トラック番号がＳＰ換算として計算している。
【００６５】
しかしながらこの換算を用いて上記の計算式に代入するのは、かえって複雑になってしまう。現在のヘッドの位置がＳＰ記録エリアなのかＬＰ記録エリアなのかにより、次のフレームの先頭のトラック番号の計算が変わって来るからである。
【００６６】
そんなことをするよりも、最終トラック番号がＳＰ換算なら一度全部ＳＰ記録として残量を計算し、その後でＬＰ記録用に値を既約分数比倍したほうが楽である。最終トラック番号がＬＰ換算なら計算後、値を既約分数比の逆数倍すればよい。
【００６７】
１フレームを記録するのに要するトラック数（ＲＴ）や１秒当りのフレーム数（ＳＦ）が変わるとき（例えばＮＴＳＣ、ＰＡＬの関係）も同様の方法で行う。
【表３】
0003764491.tif 000004
【００６８】
こうして上述の装置によれば、絶対アドレスであるトラック番号とテープの最終のトラック番号を得ることにより、現在のトラック番号を検出するのみで即座にテープ残量を計算することができるものである。
【００６９】
さらに上述の装置において、カセット内メモリ３２に、例えば記録の最後のポイントを記憶させておけば、カセットをＶＴＲ本体にセットしなくても未記録エリアの残量が一気にわかる。例えば図１０のような液晶リモコンにカセット内メモリの読出し機能を持たせれば、液晶リモコン内のマイコンで残量計算が簡単にできる。
【００７０】
【発明の効果】
この発明によれば、トラック番号を連続的に所定の規則性を持って記録する事により、ＳＰ、ＬＰ記録のようなトラックピッチが異なる混在記録においても、１巻のテープ内には同じトラック番号は二度と現れない。これによりトラック番号を高速サーチ等の絶対アドレスとすることができるようになった。
【００７１】
またこの絶対アドレスであるトラック番号とテープの最終のトラック番号を得ることにより、現在のトラック番号を検出するのみで即座にテープ残量を計算することができる。しかも従来の時、分までではなく、秒、フレームの単位まで高精度に算出できるようになった。
【図面の簡単な説明】
【図１】本発明によるＶＴＲの一例の構成図である。
【図２】その説明のためのテープフォーマットの一例を示す図である。
【図３】その説明のためのトラック番号フォーマットの一例を示す図である。
【図４】他のテープフォーマット及びトラック番号フォーマットの例を示す図である。
【図５】その動作の説明のための略線図である。
【図６】その動作の説明のための略線図である。
【図７】その動作の説明のための略線図である。
【図８】その動作の説明のための略線図である。
【図９】その動作の説明のための略線図である。
【図１０】本発明の応用例の説明のための略線図である。
【図１１】従来の動作の説明のための略線図である。
【符号の説明】
１  映像信号の入力端子
２  Ａ／Ｄ変換回路
３  ブロック化回路
４  ビット圧縮のエンコーダ
５  フレーミング回路
６  合成回路
７  キーボード
８  制御回路
９  ＲＡＭ
１０  パック生成回路
１１  トラック番号生成回路
１２  フレーミング回路
１３  ＰＴＧ回路
１４  チャンネルコーディング回路
１５  回転ドラム
１６  ヘッド
１７  磁気テープ
１８  イコライザ及びＴＢＣ回路
１９  ＥＣＣ回路
２０  分解回路
２１  デフレーミング回路
２２  ビット圧縮のデコーダ
２３  ブロック分解回路
２４  Ｄ／Ａ変換回路
２５  映像信号出力端子
２６  デフレーミング回路
２７  パック分解回路
２８  表示装置
２９  モード制御回路
３０  機構制御回路
３１  メモリ制御回路
３２  ＩＣメモリ
【図１】
0003764491.tif 000005
【図２】
0003764491.tif 000006
【図３】
0003764491.tif 000007
【図４】
0003764491.tif 000008
【図５】
0003764491.tif 000009
【図６】
0003764491.tif 000010
【図７】
0003764491.tif 000011
【図８】
0003764491.tif 000012
【図９】
0003764491.tif 000013
【図１０】
0003764491.tif 000014
【図１１】
0003764491.tif 000015